(57)【要約】【課題】エレベータの乗りかごを分解することなく、エレベータの乗りかごの天井意匠を安全に、かつ短時間で改良することができるエレベータの乗りかごの天井意匠改良方法を提供する。【解決手段】本発明によるエレベータの乗りかごの天井意匠改良方法において、まず、天井板３を有するエレベータの乗りかご１の出入口５ａを通過自在な大きさを有する第１新設意匠部材１０、第２新設意匠部材１１、および第３新設意匠部材１２を準備する。次に、乗りかご１の天井板３に、第１新設意匠部材１０、第２新設意匠部材１１、および第３新設意匠部材１２を取り付けるための部材取付穴１４が設けられる。その後、第１新設意匠部材１０、第２新設意匠部材１１、および第３新設意匠部材１２が、乗りかご１の出入口５ａから乗りかご１内に各々搬入され、乗りかご１の天井板３に設けられた部材取付穴１４を用いて、天井板３に第１新設意匠部材１０、第２新設意匠部材１１、および第３新設意匠部材１２が各々取り付けられる。【選択図】図１
2009215009.tif 000002
【特許請求の範囲】
【請求項１】
天井板を有するエレベータの乗りかごの出入口を通過自在な大きさを有する複数の新設意匠部材を準備する工程と、
乗りかごの天井板に、各新設意匠部材を取り付けるための部材取付手段を設ける工程と、
各新設意匠部材を、乗りかごの出入口から乗りかご内に各々搬入し、乗りかごの天井板に設けられた部材取付手段を用いて、天井板に各新設意匠部材を各々取り付ける工程と、を備えたことを特徴とするエレベータの乗りかごの天井意匠改良方法。
【請求項２】
乗りかごの天井板に、各新設意匠部材を取り付けるための部材取付手段を設ける工程は、この部材取付手段に対応する開口を有するテンプレートを用いて、このテンプレートを天井板に当接させながらテンプレートの開口に合わせて部材取付手段を設けることを特徴とする請求項１に記載のエレベータの乗りかごの天井意匠改良方法。
【請求項３】
テンプレートは、鉄製となっていることを特徴とする請求項２に記載のエレベータの乗りかごの天井意匠改良方法。
【請求項４】
天井板に新設意匠部材を取り付ける工程の前に、天井板に、新設意匠部材裏側に位置する新設整風ダクトを取り付ける工程を更に備え、
新設整風ダクトを取り付ける際、天井板にダクト取付手段を設け、このダクト取付手段を用いて天井板に新設整風ダクトを取り付けることを特徴とする請求項１乃至３のいずれかに記載のエレベータの乗りかごの天井意匠改良方法。
【発明の詳細な説明】
【技術分野】
【０００１】
本発明は、エレベータの乗りかごの天井意匠を改良するエレベータの乗りかごの天井意匠改良方法に係り、とりわけ、エレベータの乗りかごを分解することなく、エレベータの乗りかごの天井意匠を安全に、かつ短時間で改良することができるエレベータの乗りかごの天井意匠改良方法に関する。
【背景技術】
【０００２】
従来より、エレベータの乗りかごの天井意匠を改良する場合、まず、エレベータの乗りかごに設置されていた既設天井板を取り外し、その後、既設天井板に代えて新設天井板を取り付けていた（例えば、特許文献１参照）。
【特許文献１】特開平９−１０００８１号公報
【発明の開示】
【発明が解決しようとする課題】
【０００３】
しかしながら、既設天井板の大きさは乗りかごの出入口の大きさよりも大きく、既設天井板を乗りかごの出入口から搬出することが困難である。このことにより、エレベータの乗りかごの天井意匠を改良する場合、まず、乗りかごを分解して既設天井板を乗りかごから昇降路へ搬出し、その後、乗りかごを再組立している。このため、乗りかごの天井意匠を改良する際、比較的多くの時間を費やしている。
【０００４】
また、このようにして乗りかごの天井意匠を改良する場合、昇降路内において作業が行われ、このような作業は危険を伴う。
【０００５】
本発明は、このような点を考慮してなされたものであり、エレベータの乗りかごを分解することなく、エレベータの乗りかごの天井意匠を安全に、かつ短時間で改良することができるエレベータの乗りかごの天井意匠改良方法を提供することを目的とする。
【課題を解決するための手段】
【０００６】
本発明は、天井板を有するエレベータの乗りかごの出入口を通過自在な大きさを有する複数の新設意匠部材を準備する工程と、乗りかごの天井板に、各新設意匠部材を取り付けるための部材取付手段を設ける工程と、各新設意匠部材を、乗りかごの出入口から乗りかご内に各々搬入し、乗りかごの天井板に設けられた部材取付手段を用いて、天井板に各新設意匠部材を各々取り付ける工程と、を備えたことを特徴とするエレベータの乗りかごの天井意匠改良方法である。
【０００７】
本発明は、乗りかごの天井板に、各新設意匠部材を取り付けるための部材取付手段を設ける工程は、この部材取付手段に対応する開口を有するテンプレートを用いて、このテンプレートを天井板に当接させながらテンプレートの開口に合わせて部材取付手段を設けることを特徴とするエレベータの乗りかごの天井意匠改良方法である。
【０００８】
本発明は、テンプレートは、鉄製となっていることを特徴とするエレベータの乗りかごの天井意匠改良方法である。
【０００９】
本発明は、天井板に新設意匠部材を取り付ける工程の前に、天井板に、新設意匠部材裏側に位置する新設整風ダクトを取り付ける工程を更に備え、新設整風ダクトを取り付ける際、天井板にダクト取付手段を設け、このダクト取付手段を用いて天井板に新設整風ダクトを取り付けることを特徴とするエレベータの乗りかごの天井意匠改良方法である。
【発明の効果】
【００１０】
本発明によれば、まず、乗りかごの天井板に、複数の新設意匠部材を取り付けるための部材取付手段が設けられる。次に、各新設意匠部材が乗りかごの出入口から乗りかご内に各々搬入され、その後、乗りかごの天井板に設けられた部材取付手段を用いて、天井板に各新設意匠部材が取り付けられる。このことにより、エレベータの乗りかごの天井板を取り外すことなく乗りかごの天井意匠を改良することができる。このため、乗りかごを分解することなく、エレベータの乗りかごの天井意匠を安全に、かつ短時間で改良することができる。
【発明を実施するための形態】
【００１１】
発明の実施の形態
以下、図面を参照して、本発明の実施の形態について説明する。ここで、図１乃至図３は、本発明の実施の形態におけるエレベータの乗りかごの天井意匠改良方法を示す図である。このうち図１は、本発明の実施の形態におけるエレベータの乗りかごの天井意匠改良方法により、乗りかごの天井板に新設意匠部材が取り付けられた乗りかごの全体構成を示す図であり、図２は、本発明の実施の形態におけるエレベータの乗りかごの天井意匠改良方法において、乗りかごの天井板に部材取付手段を設ける方法を示す図であり、図３は、本発明の実施の形態におけるエレベータの乗りかごの天井意匠改良方法において、乗りかごの天井板に新設意匠部材および新設整風ダクトを取り付ける方法を示す図である。
【００１２】
まず、図１により新設意匠部材が取り付けられたエレベータの乗りかごの全体構成について説明する。図１に示すエレベータの乗りかごは、乗りかごの天井板を取り外すことなく、この天井板に取り付けられた新設意匠部材を備えている。
【００１３】
図１に示すようにエレベータの乗りかご１は、床板２と、天井板３と、床板２と天井板３との間に設けられた複数の側板４と、乗りかご１の出入口５ａに設けられた乗りかごドア５と、乗りかごドア５の側方に設けられた操作盤６とを有している。また、乗りかご１の天井板３上面に、乗りかご１内の空気を換気するとともに換気口７ａを含む換気装置７が設置され、この換気装置７の両側に、乗りかご１内を照らすとともに照明口８ａを含む複数の照明装置８が設置されている。
【００１４】
また、この乗りかご１の天井板３の下面に、換気装置７の下方に位置する第１新設意匠部材１０が取り付けられ、この第１新設意匠部材１０の両側に、第２新設意匠部材１１および第３新設意匠部材１２が各々取り付けられている。第１新設意匠部材１０、第２新設意匠部材１１、および第３新設意匠部材１２は、エレベータの乗りかご１の出入口５ａを通過自在な大きさを有している。このうち第１新設意匠部材１０は換気口１０ａを有し、この換気口１０ａは、天井板３に後述する新設整風ダクト１３および第１新設意匠部材１０を取り付けた場合に、新設整風ダクト１３に対応する位置にくるようになっている。
【００１５】
上述のように、第１新設意匠部材１０の裏側であって天井板３の下面には新設整風ダクト１３が取り付けられ、この新設整風ダクト１３は、換気装置７の換気口７ａに対応する位置に配置されている。
【００１６】
次に、このような構成からなる本実施の形態の作用、すなわち本発明によるエレベータの乗りかごの天井意匠改良方法について説明する。ここで、本発明によるエレベータの乗りかごの天井意匠改良方法は、エレベータの乗りかご１の天井意匠を改良するためのものである。
【００１７】
まず、エレベータの乗りかご１の出入口５ａを通過自在な大きさを有する第１新設意匠部材１０、第２新設意匠部材１１、および第３新設意匠部材１２を準備する。
【００１８】
次に、乗りかご１の天井板３に、第１新設意匠部材１０、第２新設意匠部材１１、および第３新設意匠部材１２を取り付けるための部材取付穴１４（部材取付手段）が設けられる。この場合、まず、図２に示すように、この部材取付穴１４に対応する開口１５ｂを有するテンプレート１５を準備する。ここで、このテンプレート１５は鉄製となっているため、例えば樹脂製材料等により製作する場合に比べて、湿気などを含む周囲環境によって、テンプレート１５の開口１５ｂの位置および大きさが大きく変化することを防止することができる。
【００１９】
また、このテンプレート１５は、天井板３の面積の略１／４に相当する面積を有している。このことにより、テンプレート１５を乗りかご１の出入口５ａから乗りかご１内に搬入するとともに、乗りかご１内から出入口５ａを介して外部へ搬出することができ、さらにはテンプレート１５を軽量化することができる。なお、テンプレート１５の面積は、天井板３の略１／４に相当する面積であることに限られることはなく、任意の面積を有していてもよい。
【００２０】
次に、テンプレート１５が乗りかご１の出入口５ａから乗りかご１内に搬入され、図２に示すように、テンプレート１５の角部１５ａを天井板３の４つの角部のうちの一つの角部３ａに合わせて、天井板３の所望の位置に部材取付穴１４を設けることができるようにテンプレート１５を配置し、テンプレート１５を天井板３に当接させる。この状態で、テンプレート１５の開口１５ｂを介して、加工手段（図示せず）により乗りかご１内から天井板３を加工して、天井板３の所望の位置に部材取付穴１４が設けられる。
【００２１】
その後、テンプレート１５の開口１５ｂを天井板３の他の角部に合わせて、同様にして天井板３に部材取付穴１４が設けられる。このようにして、天井板３全面に渡って第１新設意匠部材１０、第２新設意匠部材１１、および第３新設意匠部材１２を取り付けるための部材取付穴１４が各々設けられる。このことにより、乗りかご１の天井板３に、部材取付穴１４を容易かつ正確に設けることができる。
【００２２】
次に、図３に示すように、第１新設意匠部材１０の裏側に位置する新設整風ダクト１が取り付けられる。この場合、まず、加工手段を用いて乗りかご１内から天井板３が加工され、天井板３の換気装置７の換気口７ａに対応する位置に新設整風ダクト１３を取り付けるためのダクト取付穴１６（ダクト取付手段）が設けられる。次に、新設整風ダクト１３が乗りかご１の出入口５ａから乗りかご１内に搬入され、乗りかご１の天井板３に設けられたダクト取付穴１６を用いて、天井板３に新設整風ダクト１３が、図示しないボルト等の締結手段をダクト取付穴１６に装着することにより取り付けられる。
【００２３】
次に、第１新設意匠部材１０、第２新設意匠部材１１、および第３新設意匠部材１２が乗りかご１の出入口５ａから乗りかご１内に各々搬入され、図３に示すように、乗りかご１の天井板３に設けられた部材取付穴１４を用いて、天井板３に第１新設意匠部材１０、第２新設意匠部材１１、および第３新設意匠部材１２が、図示しないボルト等の締結手段を部材取付穴１４に装着することにより各々取り付けられる。この場合、まず、乗りかご１の出入口５ａから乗りかご１内に第１新設意匠部材１０が搬入され、部材取付穴１４を用いて、天井板３に第１新設意匠部材１０が、ボルトを部材取付穴１４に装着することにより取り付けられる。次に、乗りかご１内に第２新設意匠部材１１および第３新設意匠部材１２が各々搬入され、取り付けられた第１新設意匠部材１０を基準として、天井板３の下面のうち第１新設意匠部材１０の両側に、第２新設意匠部材１１および第３新設意匠部材１２が、図示しないボルトを部材取付穴１４に装着することにより各々取り付けられる。このことにより、エレベータの乗りかご１の天井板３に第１新設意匠部材１０、第２新設意匠部材１１、および第３新設意匠部材１２が取り付けられ、乗りかご１の天井意匠が改良される（図１参照）。
【００２４】
このように本実施の形態によれば、まず、乗りかご１の天井板３に、第１新設意匠部材１０、第２新設意匠部材１１、および第３新設意匠部材１２を各々取り付けるための部材取付穴１４が設けられる。次に、第１新設意匠部材１０、第２新設意匠部材１１、および第３新設意匠部材１２が、乗りかご１の出入口５ａから乗りかご１内に各々搬入され、その後、乗りかご１の天井板３に設けられた部材取付穴１４を用いて、天井板３に第１新設意匠部材１０、第２新設意匠部材１１、および第３新設意匠部材１２が、ボルトを部材取付穴１４に装着することにより各々取り付けられる。このことにより、天井板３に第１新設意匠部材１０、第２新設意匠部材１１、および第３新設意匠部材１２を取り付ける際、エレベータの乗りかご１の天井板３を取り外すことなく、さらには天井板３上面に設置されている換気装置７および照明装置８を取り外すこともない。このため、昇降路９内に入って乗りかご１を分解することなく、乗りかご１の天井意匠が改良することができるとともに、乗りかご１の天井意匠を改良するために交換する部品の部品点数を削減することができる。このため、エレベータの乗りかご１の天井意匠を安全に、かつ短時間で改良することができる。
【００２５】
また、本実施の形態によれば、換気装置７の換気口７ａに対応して新設整風ダクト１３が取り付けられ、新設整風ダクト１３に第１新設意匠部材１０の換気口１０ａが対応して第１新設意匠部材１０が取り付けられる。このため、天井板３に第１新設意匠部材１０、第２新設意匠部材１１、および第３新設意匠部材１２が取り付けられた場合においても、換気装置７を用いて乗りかご１内の空気の換気を確実に行うことができる。
【００２６】
なお、本実施の形態においては、新設意匠部材を３つに分割する場合について述べている。しかしながら、新設意匠部材を３つに分割する場合に限られることなく、乗りかご１の出入口５ａを通過自在であれば任意の数に分割してもよい。
【００２７】
また、本実施の形態においては、部材取付手段が、部材取付穴１４からなっている場合について述べている。しかしながら、部材取付手段は、部材取付穴１４に限られることなく、例えば、部材取付スタッドボルト（図示せず）からなっていてもよい。同様に、本実施の形態においては、ダクト取付手段が、ダクト取付穴１６からなっている場合について述べているが、ダクト取付穴１６に限られることなく、例えばダクト取付スタッドボルト（図示せず）からなっていてもよい。
【図面の簡単な説明】
【００２８】
【図１】図１は、本発明の実施の形態におけるエレベータの乗りかごの天井意匠改良方法により、新設意匠部材が取り付けられた乗りかごの全体構成を示す図。
【図２】図２は、本発明の実施の形態におけるエレベータの乗りかごの天井意匠改良方法において、乗りかごの天井板に部材取付手段を設ける方法を示す図。
【図３】図３は、本発明の実施の形態におけるエレベータの乗りかごの天井意匠改良方法において、乗りかごの天井板に新設意匠部材および新設整風ダクトを取り付ける方法を示す図。
【符号の説明】
【００２９】
１      乗りかご
２      床板
３      天井板
３ａ    角部
４      側板
５      乗りかごドア
５ａ    出入口
６      操作盤
７      換気装置
７ａ    換気口
８      照明装置
８ａ    照明口
９      昇降路
１０    第１新設意匠部材
１０ａ  換気口
１１    第２新設意匠部材
１２    第３新設意匠部材
１３    新設整風ダクト
１４    部材取付穴
１５    テンプレート
１５ａ  角部
１５ｂ  開口
１６    ダクト取付穴
【図１】
2009215009.tif 000003
【図２】
2009215009.tif 000004
【図３】
2009215009.tif 000005